(57)【要約】【課題】トレイに搭載された記録媒体に記録可能な記録装置において、トレイベースがインナーカバーに連動しても記録部品の交換作業の利便性を向上させる。【解決手段】トレイを挿入するための挿入口を備えた本体３０と、本体３０内に昇降可能に収納されている交換可能な記録部品と、本体３０内で記録部品の下方に位置し、記録媒体を搬送する搬送機構８と、記録部品を本体３０の挿入口側から露出させるように本体３０に回転可能に支持されているインナーカバー２と、挿入口を開放するように回転可能で、かつ、インナーカバー２の回転に連動して本体３０から離れる方向に移動可能にインナーカバー２に支持されているトレイベース１と、トレイベース１に連結されたリリース部材５であって、トレイベース１の回転に連動して搬送機構８を記録部品側に持ち上げ、トレイベース１の移動に連動して搬送機構８から離れるリリース部材５と、を有する。【選択図】図７
2014046575.tif 000002
【特許請求の範囲】
【請求項１】
トレイに搭載された記録媒体に記録可能な記録装置であって、
前記トレイを挿入するための挿入口を備えた本体と、
前記本体内に昇降可能に収納されている交換可能な記録部品と、
前記本体内で前記記録部品の下方に位置し、前記記録媒体を搬送する搬送機構と、
前記記録部品を前記本体の前記挿入口側から露出させるように前記本体に回転可能に支持されているインナーカバーと、
前記挿入口を露出させるように回転可能で、かつ、前記インナーカバーの回転に連動して前記本体から離れる方向に移動可能に前記インナーカバーに支持されているトレイベースと、
前記トレイベースに連結されたリリース部材であって、前記トレイベースの回転に連動して前記搬送機構を前記記録部品側に持ち上げ、前記トレイベースの移動に連動して前記搬送機構から離れるリリース部材と、
を有する記録装置。
【請求項２】
前記搬送機構に対向し、前記記録媒体を支持するプラテンをさらに有し、
前記リリース部材は、前記搬送機構と前記プラテンとの間に形成された隙間に入り込んで前記搬送機構を持ち上げる、請求項１に記載の記録装置。
【請求項３】
前記インナーカバーは、前記トレイベースに面する底面と、前記底面の両側からそれぞれ突出した一対の側面と、を有し、
前記トレイベースが、前記インナーカバーの回転の終了時に前記底面と前記一対の側面とで形成された凹部に収納される、請求項１または２に記載の記録装置。
【請求項４】
前記インナーカバーの回転軸が、前記トレイベースの回転軸よりも下方に配置され、かつ、前記インナーカバーの前記回転軸と前記トレイベースの前記回転軸の間で前記前記リリース部材が前記トレイベースに連結されている、請求項１から３のいずれか１項に記載の記録装置。
【請求項５】
前記挿入口に対して前記トレイベースよりも手前に位置し、前記記録媒体を積載可能なフロントカバーをさらに有する、請求項１から４のいずれか１項に記載の記録装置。
【請求項６】
前記トレイベースのみの回転に伴って前記記録部品を上昇させ、前記インナーカバーの回転に伴って前記記録部品を下降させる昇降機構をさらに有する、請求項１から５のいずれか１項に記載の記録装置。
【発明の詳細な説明】
【技術分野】
【０００１】
本発明は、トレイに搭載された記録媒体に記録可能な記録装置に関する。
【背景技術】
【０００２】
従来、記録装置には、コンパクトディスクのように記録用紙に比べて厚くて剛性の高い記録媒体に記録可能なタイプがある。このようなタイプの記録装置では、記録媒体をトレイに搭載して本体に挿入する記録形態が提案され、特許文献１に開示されている。
【０００３】
図８は、特許文献１に記載されたトレイベースの斜視図である。図９は、図８に示すトレイベースが閉じた状態を示す断面図である。図１０は、図８に示すトレイベースが開いた状態を示す断面図である。
【０００４】
図８に示すように、トレイベース１０２にはリリース部材１０５が連結されている。リリース部材１０５は、回動軸１０６を中心に回転可能に本体の前面に支持されている。トレイベース１０２が、図９に示す状態から図１０に示す状態に回転すると、リリース部材１０５は、拍車ホルダ４３とプラテン３４との隙間に入り込んで拍車ホルダ４３を持ち上げる。このとき、リリース部材１０５の先端部には傾斜部１０５１が形成されているので、リリース部材１０５は拍車ホルダ４３とプラテン３４との隙間にスムーズに入り込むことが可能となる。
【先行技術文献】
【特許文献】
【０００５】
【特許文献１】特開２００６―０３６５１６号公報
【発明の概要】
【発明が解決しようとする課題】
【０００６】
記録装置では、記録ヘッドおよびインクタンクの交換時に開閉されるインナーカバーが設計上の都合で本体の上面ではなく本体の前面に設けられる場合がある。特許文献１に記載の記録装置において、上述したトレイベース１０２が、本体に対してインナーカバーよりも手前に配置されていると、インナーカバーが開くのに伴ってトレイベース１０２も開く。トレイベース１０２が開くと拍車ホルダ４３がリリース部材１０５によって持ち上げられる。拍車ホルダ４３が持ち上げられると、拍車ホルダ４３の上方に位置し、記録ヘッドおよびインクタンクを搭載しキャリッジが昇降機構によって上昇させられる。キャリッジが上昇すると、キャリッジと本体上部との隙間が狭くなる。その結果、記録ヘッドおよびインクタンクの交換作業に必要なスペースが十分に確保されず、交換作業の利便性の低下が懸念される。
【０００７】
そこで、本発明は、トレイに搭載された記録媒体に記録可能な記録装置において、トレイベースがインナーカバーに連動しても記録部品の交換作業の利便性を向上させることを目的とする。
【課題を解決するための手段】
【０００８】
上記目的を達成するために本発明の記録装置は、トレイに搭載された記録媒体に記録可能な記録装置であって、前記トレイを挿入するための挿入口を備えた本体と、前記本体内に昇降可能に収納されている交換可能な記録部品と、前記本体内で前記記録部品の下方に位置し、前記記録媒体を搬送する搬送機構と、前記記録部品を前記本体の前記挿入口側から露出させるように前記本体に回転可能に支持されているインナーカバーと、前記挿入口を開放するように回転可能で、かつ、前記インナーカバーの回転に連動して前記本体から離れる方向に移動可能に前記インナーカバーに支持されているトレイベースと、前記トレイベースに連結されたリリース部材であって、前記トレイベースの回転に連動して前記搬送機構を前記記録部品側に持ち上げ、前記トレイベースの移動に連動して前記搬送機構から離れるリリース部材と、を有する。
【発明の効果】
【０００９】
本発明によれば、トレイに搭載された記録媒体に記録可能な記録装置において、トレイベースがインナーカバーに連動しても記録部品の交換作業の利便性を向上させることが可能となる。
【図面の簡単な説明】
【００１０】
【図１】本発明の記録装置の一実施形態を示す斜視図である。
【図２】本発明の記録装置の一実施形態を示す斜視図である。
【図３】本発明の記録装置の一実施形態を示す斜視図である。
【図４】トレイベースおよびインナーケースの斜視図である。
【図５】トレイベースおよびインナーカバーが閉じているときの本体内部の様子を示す断面図である。
【図６】トレイベースが開き、インナーカバーが閉じているときの本体内部の様子を示す断面図である。
【図７】インナーカバー２開いているときの本体内部の様子を示す断面図である。
【図８】特許文献１に記載されたトレイベースの斜視図である。
【図９】図８に示すトレイベースが閉じた状態を示す断面図である。
【図１０】図８に示すトレイベースが開いた状態を示す断面図である。
【発明を実施するための形態】
【００１１】
図１〜図３は、本発明の記録装置の一実施形態を示す斜視図である。本発明の記録装置は、記録用紙だけでなく、コンパクトディスクのように厚くて剛性の高い記録媒体にも記録可能である。図１に示す記録装置１０は、記録用紙など薄くて剛性の低い記録媒体に記録する状態を示す。この状態では、トレイベース１およびインナーカバー２は閉じている。トレイベース１は、本体３０に対してインナーカバー２よりも手前に配置されている。
【００１２】
図２に示す記録装置１０は、トレイ５０に搭載された記録媒体４（本実施形態ではコンパクトディスク）に記録する状態を示す。この状態では、トレイベース１が開き、インナーカバー２が閉じている。トレイベース１が開く（本体３０に対して手前方向に回転する）ことによって、挿入口１３が露出する。挿入口１３には、記録媒体４を搭載したトレイ５０が挿入される。挿入口１３に対してトレイベース１よりも手前にはフロントカバー２が、回転可能に本体３０に支持されている。フロントカバー２は、トレイベースを覆うカバーとしての機能に加えて記録媒体を積載可能な排紙トレイとしての機能も兼ねている。
【００１３】
図３に示す記録装置１０は、記録部品を交換する状態を示す。この状態では、インナーカバー２が開いている。インナーカバー２は、交換可能な記録部品であるインクタンク６５および記録ヘッド６６が本体３０の挿入口側から露出するように本体３０に回転可能に支持されている。インクタンク６５および記録ヘッド６６は、キャリッジ６０に搭載された状態で本体内に収納されている。
【００１４】
図４は、トレイベース１およびインナーケース２の斜視図である。
【００１５】
トレイベース１の長手方向の両側には、回転軸１１１と、ボス部１１３とが形成された端面部材１１２が設けられている。回転軸１１１は、端面部材１１２の外面から突出している。ボス部１１３は、端面部材１１２の内面から突出している。端面部材１１２においてボス部１１３は、回転軸１１１よりも下方に配置されている。トレイベース１は、回転軸１１１を中心に回転可能にインナーカバー２に支持されている。ボス部１１３にはリリース部材５の一端に形成された穴部６が嵌合している。これにより、リリース部材５がボス部１１３に連結される。
【００１６】
インナーカバー２は、トレイベース１に面する底面２０ａと、底面２０ａの長手方向の両側からそれぞれ突出した一対の側面２０ｂと、を有する。各側面２０ｂの下部には、端面部材２１が設けられている。端面部材２１には、回転軸２１１と、回転軸２１１よりも上方に位置する穴部２１２が形成されている。穴部２１２には、回転軸１１１が回転可能に嵌合されている。インナーカバー２は、回転軸２１１を中心に回転可能に本体３０に支持されている。
【００１７】
以下、トレイベース１の動作およびインナーカバー２の動作について説明する。
【００１８】
図５は、トレイベース１およびインナーカバー２が閉じているときの本体内部の様子を示す断面図である。図５は、図１に示す記録装置１０の本体内部の様子を示している。
【００１９】
本体３０の内部には、記録媒体を支持するプラテン９が設けられている。プラテン９の上方には、記録媒体の搬送機構８が対向している。搬送機構８は、拍車８１と、拍車８１を保持する拍車ホルダ８２とで構成されている。拍車ホルダ８２は、ばね（不図示）によって所定の弾性力で下向きに付勢されている。搬送機構８の上方には、キャリッジ６０が配置されている。
【００２０】
図５では、リリース部材５の先端部が、プラテン９と拍車ホルダ８２との間に形成された隙間１２の手前に位置している。先端部には、先細りするように傾斜した傾斜部５１が形成されている。
【００２１】
図６は、トレイベース１が開き、インナーカバー２が閉じているときの本体内部の様子を示す断面図である。図６は、図２に示す記録装置１０の本体内部の様子を示している。
【００２２】
トレイベース１が図５に示す閉位置から図６に示す開位置へ回転すると、回転軸１１１の下方に配置されたボス部１１３は円弧状の軌跡を描くように移動して本体側に近づく。ボス部１１３に連結されたリリース部材５は、上述した隙間１２に入り込んで拍車ホルダ８２をキャリッジ６０側（記録部品側）に持ち上げる。このとき、リリース部材５の先端部に形成された傾斜部５１によって、リリース部材５はスムーズに隙間１２に入り込むことができる。拍車ホルダ８２の上昇により、プラテン９と拍車８１との間にトレイ５０が通過可能なスペースが形成される。
【００２３】
拍車ホルダ８２が上昇し、記録媒体を搭載したトレイ５０が挿入口１３からプラテン９まで挿入されると昇降機構（不図示）がキャリッジ６０を上昇させる。キャリッジ６０の上昇に伴い、本体上部とキャリッジとの隙間Ｓは狭くなる。昇降機構は、例えば、キャリッジ６０を走査方向に移動可能に支持するシャフトと、キャリッジ６０に予め設けられたセンサ（不図示）によるトレイ５０の検知に基づいてシャフトを昇降可能なカム部材などで構成されている。
【００２４】
トレイベース１が、図６に示す開位置から図５に示す閉位置へ回転すると、リリース部材５は拍車ホルダ８２から離れる。拍車ホルダ８２は、上述したばねの弾性力によって図５に示す初期位置まで下降する。
【００２５】
図７は、インナーカバー２が開いているときの本体内部の様子を示す断面図である。図６は、図３に示す記録装置１０の本体内部の様子を示している。
【００２６】
トレイベース１が図６に示す開位置に位置する状態からインナーカバー２がトレイベース１と同じ方向に回転すると、その回転力が、インナーカバー２の端面部材２１に挿入されたトレイベース１の回転軸１１１に伝達される。インナーカバー２の回転軸２１１は、図４に示すようにトレイベース１の回転軸１１１の下方に配置されているのでトレイベース１は、インナーカバー２から伝達された回転力で本体３０から離れるように移動する。トレイベース１の移動により、リリース部材５は、拍車ホルダ８２から離れる（隙間３０から引き出される）。拍車ホルダ８２は、上述したばねの弾性力によって図５に示す初期位置まで下降する。インナーカバー２の回転の終了時には、図７に示すように、トレイベース１は、インナーカバー２に収納される。具体的には、トレイベース１は、上述した底面２０ａと、一対の側面２０ｂとで形成された凹部に収納される（図４参照）。
【００２７】
図７に示すようにインナーカバー２が回転すると、上述した昇降機構（不図示）がキャリッジ６０を下降させる。昇降機構は、例えば、インナーカバー２の回転を検知するセンサ（不図示）の検知結果に基づいてキャリッジ６０を下降させる。キャリッジ６０の下降によって、本体上部とキャリッジ６０の隙間Ｓは広くなる。そのため、インクタンク６５または記録ヘッド６６の交換作業に必要なスペースが十分確保される。これにより、交換作業の利便性が向上する。
【００２８】
トレイベース１とインナーカバー２が同時に開く場合にも、トレイ部材１の移動に伴ってリリース部材５は、拍車ホルダ８２から離れる。そのため、拍車ホルダ８２は上昇しないため、本体上部とキャリッジ６０の隙間Ｓは図６に示すように狭くならない。
【００２９】
本実施形態の記録装置１０では、インナーカバー２の回転軸２１１がトレイベース１の回転軸１１１よりも下方に配置され、かつ、回転軸２１１と回転軸１１１との間でリリース部材５がトレイベース１に連結されている。そのため、インナーカバー２が回転するとトレイベース１が本体３０から離れるように移動する。この移動に連動してリリース部材５が拍車ホルダ８２から離れる。これにより拍車ホルダ８２がリリース部材５によって持ち上げられないためキャリッジ６０（インクタンク６５および記録ヘッド６６）の上昇が不要になる。よって、インクタンク６５または記録ヘッド６６の交換作業に必要なスペースが十分確保されるので、交換作業の利便性が向上する。
【符号の説明】
【００３０】
１  トレイベース
２  インナーカバー
５  リリース部材
８  搬送機構
３０  本体
【図１】
2014046575.tif 000003
【図２】
2014046575.tif 000004
【図３】
2014046575.tif 000005
【図４】
2014046575.tif 000006
【図５】
2014046575.tif 000007
【図６】
2014046575.tif 000008
【図７】
2014046575.tif 000009
【図８】
2014046575.tif 000010
【図９】
2014046575.tif 000011
【図１０】
2014046575.tif 000012